(57)【特許請求の範囲】
【請求項１】
ベースから鉛直方向上方に延びる支柱にフックを備える点滴スタンドであって、
該フックは、
前記支柱から外方に延出する延出部と、
該延出部から該延出部の鉛直方向下方側に延在し、該延出部の鉛直方向下方側に先端を有するフック本体と
を備え、
該フック本体の前記先端は、該フックを鉛直方向上方からみたときに、前記延出部によって分けられる２つの領域のうちの第１領域から前記２つの領域のうちの第２領域に向けられ、かつ、該延出部に覆われるまたは前記第１領域に位置する、
点滴スタンド。
【請求項２】
前記フック本体の前記先端は、該フックを鉛直方向上方からみたときに、前記延出部に達している、請求項１に記載の点滴スタンド。
【請求項３】
前記フック本体の前記先端は、該フックを鉛直方向上方からみたときに、前記延出部から離れて前記第１領域に位置する、請求項１に記載の点滴スタンド。
【請求項４】
前記フックを鉛直方向上方からみたときに、前記フック本体の前記先端は、前記延出部に沿った前記支柱向きの方向の成分を含む方向に延びている、請求項１から３のいずれか一項に記載の点滴スタンド。
【請求項５】
前記フックを鉛直方向上方からみたときに略三角形形状をなすように、前記フック本体は形付けられている、請求項４に記載の点滴スタンド。
【請求項６】
前記フック本体の前記先端は、鉛直方向上方側を向いている、請求項１から５のいずれか一項に記載の点滴スタンド。
【請求項７】
前記フック本体の前記先端は、略水平方向に延びる、請求項１から５のいずれか一項に記載の点滴スタンド。
【請求項８】
前記フック本体は、前記延出部と前記先端との間に、略鉛直方向下方側に突き出るように形付けられた略Ｕ字形状部を備える、請求項１から７のいずれか一項に記載の点滴スタンド。
【請求項９】
前記フックは、前記支柱に着脱自在に取り付けられている、請求項１から８のいずれか一項に記載の点滴スタンド。
【請求項１０】
請求項９に記載の点滴スタンドにおけるフック。
【発明の詳細な説明】
【技術分野】
【０００１】
本発明は、病院等で用いられる、輸液バッグなどを引っ掛けるための点滴スタンドに関する。
【背景技術】
【０００２】
従来、病院において、移動可能な点滴スタンドが用いられている。この点滴スタンドの使用は、点滴治療を受けている患者が、その治療を中断せずに病院内を動くことを可能にする。
【０００３】
点滴スタンドには、フックの先端を鉛直方向上方に突出させ、その先端を通してそのフックに（薬、生理食塩水などを貯蔵する）輸液バッグ（または輸液パック）を掛けるものがある。一方、病院の病室などではベッド周囲がカーテンで仕切られていることがあり、このカーテンは部分的に網目状に構成されている。したがって、フックの先端を外方にむやみに突出させることで、その先端がカーテンなどに引っ掛かり易くなるという問題がある。
【０００４】
一方、点滴スタンドの一例を特許文献１は開示する。特許文献１の点滴スタンドは、キャスタ（車輪）を備えた脚ベースと、このベースから鉛直方向上方に延びる支柱と、この支柱に設けられたフックとを備える。フックは支柱からそれを中心として径方向に真っ直ぐ延出する延出部と、この延出部の先端部に設けられたフック本体とを備えている。特許文献１では、フックの折り返された先端がカーテンに引っかかってしまうという不具合を抑制するように、フックは支柱と延出部とにより定められる平面上から逸脱しないように折り返された形状を有し、その先端はまさに支柱に向けて延出されている。
【０００５】
また、特許文献２も、点滴スタンドを開示する。特許文献２は、点滴スタンドのフックの先端に医療用カーテンがひっかからないようにすると共に、輸液バッグを容易に着脱できるように、フックの先端にゴム材料でできたキャップ部材を取り付けることを提案する。フックは、特許文献１の点滴スタンドと同様に、その延出部と支柱とにより定められる平面上から逸脱しないように折り返された形状を有し、その先端はまさに鉛直方向上方に向けられていて、延出部と対向する。キャップ部材はフック先端と延出部との間に隙間がほとんどないように設けられ、キャップ部材に外力を加えて折り曲げることで、輸液バッグをフックに着脱するように構成されている。
【先行技術文献】
【特許文献】
【０００６】
【特許文献１】特開２０１３−１７６５３号公報
【特許文献２】特開２０１４−６４８１２号公報
【発明の概要】
【発明が解決しようとする課題】
【０００７】
上記特許文献１に記載の点滴スタンドでは、フックの先端は支柱に向けて延出されているので、フックに輸液バッグを引っ掛けるためには、輸液バッグを支柱とフックの先端との間にフックの脇から必ず入れることが必要である。このような取付作業は、輸液バッグの操作スペースの点、および、フック先端の視認に問題を有し、改善が望まれる。
【０００８】
さらに、特許文献２に記載の点滴スタンドでは、フックに輸液バッグを取り付けるためには、キャップ部材を折り曲げる必要があり、輸液バッグを片手でフックに取り付けることは容易でない。
【０００９】
そこで、本発明は、上記事情に鑑みて創案され、その目的は、点滴スタンドにおいて、フックの先端がカーテンに引っかかることを抑制しつつ、フックへの輸液バッグの取付性を改善することにある。
【課題を解決するための手段】
【００１０】
本発明の一態様によれば、
ベースから鉛直方向上方に延びる支柱にフックを備える点滴スタンドであって、
該フックは、
前記支柱から外方に延出する延出部と、
該延出部から該延出部の鉛直方向下方側に延在し、該延出部の鉛直方向下方側に先端を有するフック本体と
を備え、
該フック本体の先端は、該フックを鉛直方向上方からみたときに、前記延出部によって分けられる２つの領域のうちの第１領域から前記２つの領域のうちの第２領域に向けられ、かつ、該延出部に覆われるまたは前記第１領域に位置する、
点滴スタンドが提供される。
【００１１】
フック本体の先端は、該フックを鉛直方向上方からみたときに、延出部に達していてもよい。この場合、フック本体の先端は、全体的に延出部に覆われてもよく、部分的に覆われてもよく、ほとんどまたは全く覆われなくてもよい。あるいは、フック本体の先端は、該フックを鉛直方向上方からみたときに、延出部から離れて第１領域に位置してもよい。好ましくは、フックを鉛直方向上方からみたときに、フック本体の先端は、延出部に沿った支柱向きの方向の成分を含む方向に延びている。フックを鉛直方向上方からみたときに略三角形形状をなすように、フック本体は形付けられることができる。
【００１２】
また、フック本体の先端は、鉛直方向上方側を向いているとよい。代わりに、フック本体の先端は、略水平方向に延びてもよい。そして、フック本体は、延出部と先端との間に、略鉛直方向下方側に突き出るように形付けられた略Ｕ字形状部を備えるとよい。
【００１３】
好ましくは、フックは、支柱に着脱自在に取り付けられる。
【００１４】
本発明は、上記点滴スタンドにおけるフックにも存する。
【発明の効果】
【００１５】
上記構成を有する本発明の一態様に係る点滴スタンドによれば、フック本体は延出部から該延出部の鉛直方向下方側に延在し、その先端は、フックを鉛直方向上方からみたときに、延出部によって分けられる２つの領域のうちの第１領域から第２領域に向けられ、かつ、延出部に覆われるまたは第１領域に位置する。したがって、フックを鉛直方向上方からみたときに、フック本体の先端が延出部を超えて突き出ないので、その先端がカーテン等に引っ掛かることを抑制できる。さらに、上記構成によれば、フックを鉛直方向上方からみたときに、フック本体の先端は第１領域から第２領域に向けられているので、その先端の前方にはより広い空間を確保できる。したがって、フックへの輸液バッグの着脱がより容易になり、その取付性の向上を図ることができる。
【図面の簡単な説明】
【００１６】
【図１】本発明の一実施形態に係る点滴スタンドの斜視図である。
【図２】図１の点滴スタンドの上部のフック周囲の部分拡大斜視図である。
【図３】図２のフック周囲の正面図である。
【図４】図２のフック周囲の平面図である。
【図５】図４の円Ｖで囲んだ部分の拡大図である。
【発明を実施するための形態】
【００１７】
以下、本発明の実施形態を添付図面に基づき説明する。
【００１８】
図１に、本発明の一実施形態の点滴スタンド１０を示す。図１に示されるように、点滴スタンド１０は、ベース１２と、支柱１４と、フック１６とを備える。ベース１２は、ベース本体１７に、複数のキャスタ（つまり車輪）１８を備えている。キャスタ１８の数および配置は、変更可能である。ベース１２は、点滴スタンド１０を倒れないように直立状態に安定的に維持できると共に、キャスタ１８の作用により移動可能に構成されている。なお、キャスタを備えないベースも採用することができる。また、ベースは、ベッド、車椅子などに取り付け可能に構成された取付部であってもよい。
【００１９】
支柱１４は、ベース１２から鉛直方向上方に延びている。したがって、支柱１４は、鉛直方向に延びる軸線１４Ａを有する。点滴スタンド１０では、支柱１４はベース１２にしっかりと固定されているが、ベース１２から着脱自在である。支柱１４は、ベース１２と一体的に構成されてもよい。さらに、支柱１４は、複数の管状部材１４ｂ、１４ｃ、１４ｄが入れ子式に連結されて構成されていて、伸縮自在に（長さ調節可能に）構成されている。また、支柱１４の途中には、取っ手２０が設けられている。取っ手２０は、患者や医療関係者などが点滴スタンドを移動させるときに把持される。
【００２０】
なお、本発明は、ベース１２や支柱１４の種々の変形、形態を許容する。したがって、既知のベースや支柱は、ベース１２や支柱１４として、用いられることができる。例えば、特許文献１の点滴スタンドのベースや支柱、特許文献２の点滴スタンドのベースや支柱も、ベース１２や支柱１４として、用いられることができる。また、ベース１２や支柱１４は種々の材料から作られることができる。
【００２１】
フック１６は、輸液バッグを取り付け可能に（つまり引っ掛けることができるように）構成されたユニット（フックユニット）であり、支柱１４に備えられている。点滴スタンド１０では、フック１６は４つのフックセクション１６Ａを備えていて、それらフックセクション１６Ａは一体的に構成されていて実質的に１つのフック１６を構成する。しかし、４つのフックセクション１６は互いに対して独立して、４つのフックからなってもよい。あるいは、４つのフックセクション１６Ａのうちの２つが一体的に構成され、残りの２つが一体的に構成されてもよい。なお、本発明は点滴スタンドにおけるフックセクションの数を限定せず、１つでも、２つでも、３つでも、５つより多くてもよい。ただし、好ましくは、点滴スタンドにおけるフックは、支柱を中心に、バランスよく配置または構成されるのがよく、複数のフックセクションまたはフックが用いられるとよい。そして、それらフックセクションは、支柱の軸線周りに回転対称に配置されるとよい。点滴スタンドにおけるフックセクションの数がｎ個（ただしｎは２以上の整数）であるとき、ｎ個のフックセクションは、支柱１４の軸線１４Ａ周りに実質的にｎ回対称に配置されるとよい。また、後述するように、フック１６は延出部とフック本体とを備え、フックセクションは１つの延出部と１つのフック本体とを備える。しかし、例えば、１つの延出部の両端に２つのフック本体が設けられてもよく、この場合、１の延出部は２つの延出部が一体となったものとみなすことができる。本発明は、少なくとも１つの延出部と、少なくとも１つのフック本体とを備える種々の形態のフック（つまりフックユニット）を許容する。
【００２２】
フック１６は、特にここでは支柱１４に着脱自在に取り付けられている。フック１６は支柱１４の鉛直方向上部端に配置され、キャップ部２２によりその接続構造（不図示）は覆われている。ここでは、フック１６は環状部２４を備え、そこに、支柱１４の先端が差し込まれている。フック１６の環状部２４の内径は支柱１４の先端の外径とほぼ同じ大きさを有し、それらは互いにぴったりと嵌め合わされている。しかし、フック１６の環状部に支柱１４を差し込んだ状態で、ねじ等の機械的手段により、それらの結合力がさらに高められてもよい。あるいは、フック１６が支柱１４の先端の溝などの凹部に嵌め込まれて、キャップ部２２でそれらが相互に固定されてもよい。なお、フック１６と支柱１４との接続部は、任意の接続構造を採用できる。
【００２３】
フック１６は、支柱１４から外方に延出する延出部２６と、この延出部２６から延在するフック本体２８とを備える。点滴スタンド１０では、フック１６は４つのフックセクション１６Ａを備え、つまり４つの延出部２６と４つのフック本体２８とを備える。以下では、４つのフックセクション１６Ａはそれぞれ同じ構成（および形状）を有するので、１つの延出部２６とそれにつながる１つのフック本体２８とからなる１つのフックセクション１６Ａ（図３および図４の各々で左側に位置するフックセクション１６Ａ）について主に説明する。
【００２４】
フック１６の１つのフックセクション１６Ａは、１つの延出部２６と、そこから延びる１つのフック本体２８とを備える。延出部２６は、支柱１４を中心にそこから径方向に真っ直ぐ突き出るように構成されている。フック１６の延出部２６は、図１の点滴スタンド１０では、略水平に延在する。なお、延出部２６は、略真っ直ぐであるとよいが、湾曲してもよい。
【００２５】
延出部２６の先端（外方端部）に、フック本体２８は接続している。延出部２６とフック本体２８とは、１つの線状部材から作られているので、一体的である。しかし、延出部２６とフック本体２８とは、別部材で構成され、その後一体的に接合されたり、組み立てられたりしてもよい。なお、フック１６は、種々の材料から作られることができ、１種類の材料で作られても複数種類の材料を組み合わせて作られてもよい。例えば、フック１６は、鉄鋼材料、Ａｌ合金などの金属から作られてもよく、樹脂から作られてもよい。
【００２６】
フック本体２８は、フック１６を鉛直方向上方からみたときに（つまり図４において）、全体的にみると、延出部２６との接続部Ｃから、延出部２６に沿った支柱１４向きの方向（図４の矢印Ｄ１方向）の成分を含む方向に延びている。したがって、フック本体２８の先端（部）２８ｔは支柱１４を中心にして径方向で最も外側には位置しない。
【００２７】
さらに、フック本体２８は、接続部Ｃにある延出部２６の先端から鉛直方向下方側に延び、略Ｕ字形状部２８ｕを形成するように略鉛直方向上方側に方向を変えるように湾曲した形状を有する。自由端部であるフック本体２８の先端２８ｔは、それ故、鉛直方向下方側から上方側に向けられている。ただし、フック本体２８は、接続部Ｃを起点に、全体的に延出部２６の鉛直方向下方側に延在し、鉛直方向において延出部２６を横切らない。したがって、フック本体２８の先端２８ｔは、延出部２６の鉛直方向下方側に位置する。
【００２８】
フック本体２８の先端２８ｔの鉛直方向上方側への傾き度合いを表す指標として、図３における、フック本体２８の先端２８ｔの傾き角（以下、第１傾き角）αを用いることができる。フック本体２８の先端２８ｔの第１傾き角αは、延出部２６の軸線２６Ａが実質的に紙面に平行に延びるようにフック１６が表された図（つまり図３）において定められるとよく、先端２８ｔに沿った軸線２８Ａと、支柱１４の軸線１４Ａに対して直交するように定められる平面Ｓ１との間の角度として定められる。第１傾き角αは、図３では約３０°であるが、これに限定されない。第１傾き角αは、０°以上９０°未満の任意の値に設定されることができ、５°以上６０°以下の範囲にあるとよい。ただし、第１傾き角αは０°であってもよい。第１傾き角αがほぼ０°のとき、フック本体２８の先端２８ｔは実質的に水平方向に延びる。
【００２９】
さらに、フック本体２８の先端２８ｔは、フック１６を、特にフックセクション１６Ａを鉛直方向上方からみたときに（つまり図４において）、延出部２６によって分けられる２つの領域のうちの第１領域Ａ１（図４中で延出部を基準に下側の領域）から同２つの領域のうちの第２領域Ａ２（図４中で延出部を基準に上側の領域）に向けられている。ただし、フック本体２８の先端２８ｔは、図４において、第２領域Ａ２に達しないで、実質的に第１領域Ａ１にある。より正確には、フック本体２８の先端２８ｔは、図４において、延出部２６に達していて、さらに部分的に延出部２６の真下に入って延出部２６によって覆われている。しかし、フック本体２８の先端２８ｔは、部分的にではなく、全体的に、延出部２６によって覆われて（延出部２６の下に入って）いてもよい。あるいは、フック本体２８の先端２８ｔは、図４において、延出部２６に達するが延出部２６によって全く覆われなくてもよく、延出部から離れて第１領域Ａ１に位置してもよい。しかし、フック本体２８の先端２８ｔは、図４において延出部２６を横切って第２領域に突出しないとよい。
【００３０】
さらに、図から明らかなように、フック本体２８の先端２８ｔは鉛直方向で延出部２６にある程度近接する。このフック本体２８の先端２８ｔと延出部２６との間の幅Ｗ１は図３に示され、鉛直方向の長さであり、任意に設定できる。しかし、輸液バッグの着脱性およびカーテンへの先端２８ｔの引っ掛かり難さの点から、この幅Ｗ１は、輸液バッグを引っ掛けるのに十分な長さを有し、一方でカーテンの網目状部にひっかからない程度の長さに設定されるとよい。カーテンの網目状部の網目の大きさなどによるが、例えば幅Ｗ１は２ｃｍ以上に設定され、例えば１０ｃｍ以下に設定される。
【００３１】
さらに、上で述べたように、フック本体２８は、フックを鉛直方向上方からみたときに（つまり図４において）、全体的に、図４の矢印Ｄ１方向の成分を含む方向に延びている。特に、フック本体２８の先端２８ｔは図４において矢印Ｄ１方向の成分を含む方向に延び、かつ、図４において第１領域Ａ１から第２領域Ａ２に向けられているので、図４においてフック本体２８は延出部２６と略三角形形状をなす。
【００３２】
さらに、輸液バッグの取付性を改善すると共にフック本体２８の先端が引っ掛かることを抑制する観点から、図５におけるフック本体２８の先端２８ｔの延出部２６に対する傾き角（以下、第２傾き角）βが設定されるとよい。第２傾き角βは、フック本体２８の先端２８ｔが第１領域Ａ１から第２領域Ａ２に向いている度合いを表す指標として、用いられてもよい。第２傾き角βは、支柱１４の軸線１４Ａが実質的に紙面に直角に延びる図（図４および図５）において定められ、先端２８ｔに沿った軸線２８Ａと、延出部２６の軸線２６Ａとの間の角度として定められる。第２傾き角βは、図５では約４５°であるが、これに限定されない。第２傾き角βは、０°より大きく９０°以下の任意の値に設定されるとよく、好ましくは１５°以上６０°以下の範囲にある。なお、第２傾き角βは、９０°を超える角度を有するように設定されることも可能であるが、好ましくは９０°以下の角度に設定される。
【００３３】
このような構成を有する点滴スタンド１０の効果を以下説明する。
【００３４】
点滴スタンド１０では、フック本体２８は延出部２６の鉛直方向下方側に延在し、その先端２８ｔは延出部２６の鉛直方向下方側に位置し、図４において第１領域Ａ１から第２領域Ａ２に向けられていて、第２領域Ａ２に達しない。したがって、フック本体２８の先端２８ｔは第２領域に突き出さず、カーテン等に引っ掛かり難い。また、フック本体２８の先端２８ｔと延出部２６との間の図３における幅Ｗ１を上で述べたように所定範囲内に設定することで、フックへの取付性を損なわずに、さらにフック本体２８の先端２８ｔのカーテンへの引っ掛かりを好適に防ぐことができる。
【００３５】
さらに、先端２８ｔを含むフック本体２８は、概して、図４において、延出部２６との接続部Ｃから、矢印Ｄ１方向の成分を含む方向に延びている。したがって、フック本体２８の先端２８ｔは支柱１４側に位置し、外方に突出しない。それ故、さらに、フック本体２８の先端２８ｔはカーテン等に引っ掛かり難くなる。
【００３６】
また、点滴スタンド１０では、フック本体２８の先端２８ｔは第１領域Ａ１から第２領域Ａ２に向けられていて第２領域に達していないので、その先端２８ｔの前方には、第２領域Ａ２という広い空間が広がる。したがって、フック本体２８の先端２８ｔに輸液バッグを引っ掛けて取り付けるとき、その作業領域を広く確保できる。さらに、フック本体２８の先端２８ｔは第１領域Ａ１から第２領域Ａ２に向けられているので、第２領域から医療従事者などの作業者はフック本体２８の先端２８ｔに対峙することができる。よって、輸液バッグの取付性が向上する。
【００３７】
また、フック本体２８は、延出部２６と先端２８ｔとの間に、略鉛直方向下方側に突き出るように形付けられた略Ｕ字形状部２８ｕを備え、その先端２８が鉛直方向上方側を向いている。したがって、輸液バッグの係合部（例えば穴）を上方から先端２８に容易に引っ掛けることができ、フック本体２８に取り付けられた輸液バッグを略Ｕ字形状部２８ｕにより安定的に保つことができる。
【００３８】
さらに、点滴スタンド１０では、特許文献２の点滴スタンドのようにフックの先端にキャップ部材を装着する必要が無い。したがって、医療従事者などは、片手で、容易かつ的確に、点滴スタンドのフック本体に輸液バッグを引っ掛け、あるいは、そこから取り外すことができる。
【００３９】
また、点滴スタンドに引っ掛けるものには、樹脂製以外に、樹脂に比べて割れ易いガラス製のものもある。点滴スタンド１０では、上で述べたように、第２領域Ａ２という広い空間から、医療従事者などはフック本体２８の先端２８ｔに輸液バッグを引っ掛けることができ、またそこから取り外すことができる。したがって、その作業性が向上し、その作業は容易になる。一方、この第２領域Ａ２のような広い空間エリアは、特許文献１や特許文献２に記載の点滴スタンドでは確保することができない。したがって、例えばガラス製薬瓶を用いるとき、点滴スタンド１０では、特許文献１や特許文献２に記載の点滴スタンドに比べて、その薬瓶を安全に扱うことが容易になる。
【００４０】
上記説明では、フック１６に引っ掛けられるものとして、主として輸液バッグを記した。しかし、フック１６に引っ掛けられるものは、これに限定されず、特に限定されず、例えば、血液バッグなどの他の医療容器であってもよい。
【００４１】
前述した実施形態等では、本発明をある程度の具体性をもって説明したが、本発明はそれら実施形態等に限定されるものではない。本発明については、特許請求の範囲に記載された発明の精神や範囲から離れることなしに、さまざまな改変や変更が可能であることは理解されなければならない。すなわち、本発明には、特許請求の範囲によって規定される本発明の思想に包含されるあらゆる変形例や応用例、均等物が含まれる。
【符号の説明】
【００４２】
１０  点滴スタンド  
１２  ベース
１４  支柱
１６  フック
１６Ａ  フックセクション
２６  延出部
２８  フック本体
２８ｔ  先端
２８ｕ  略Ｕ字形状部
【図１】
0006358698.tif 000002
【図２】
0006358698.tif 000003
【図３】
0006358698.tif 000004
【図４】
0006358698.tif 000005
【図５】
0006358698.tif 000006